(57)【要約】      （修正有）【課題】小型軽量で装着が容易で、装着時のフィット感に優れ、装着のわずらわしさがなく、ジョギングなどの運動中でも脱落しにくく、廉価なヘッドホンを提供する。【解決手段】音声信号を再生する載頭型のヘッドホンであって、金属ワイヤからなるヘッドバンド２と、このヘッドバンド２の両端部に設けられた球体状の小型スピーカ１とを備え、ヘッドバンド２は小型スピーカ１の近傍に後方に屈曲した屈曲点を設けて上記のヘッドホンを構成する。【選択図】図１
0003155362.tif 000002
【実用新案登録請求の範囲】
【請求項１】
音声信号を再生する載頭型のヘッドホンであって、
金属ワイヤからなるヘッドバンドと、
このヘッドバンドの両端部に設けられた球体状の小型スピーカとを備え、
前記ヘッドバンドは前記小型スピーカの近傍に後方に屈曲した屈曲点を有することを特徴とするヘッドホン。
【請求項２】
前記小型スピーカへ電気信号を入力する信号ケーブルと、
この信号ケーブルの他端に設けられ、音声再生装置のイヤホンジャックに接続されるイヤホンプラグとをさらに備えることを特徴とする請求項１に記載のヘッドホン。
【請求項３】
前記小型スピーカは、利用者の耳孔に装着可能な大きさの球体であることを特徴とする請求項１または２に記載のヘッドホン。
【請求項４】
前記屈曲点での屈曲角度は後方に１０°ないし４５°であることを特徴とする請求項１ないし３のいずれか１項に記載のヘッドホン。
【請求項５】
前記ヘッドバンドはその全長を延長することが可能な延長部を備えていることを特徴する請求項１ないし４のいずれか１項に記載のヘッドホン。
【請求項６】
前記延長部は前記ヘッドバンドを構成する金属ワイヤがその内部を摺動可能な円筒パイプから構成されていることを特徴とする請求項５に記載のヘッドホン。
【考案の詳細な説明】
【技術分野】
【０００１】
本考案は、イヤホン端子からの電気信号出力を、金属ワイヤからなるヘッドバンドの両端に設けられた超小型スピーカで再生して、音声や音楽を聴くことができるヘッドホンに関する。
【背景技術】
【０００２】
近年、電子機器の軽量小型化に伴って、音楽再生機能付きの携帯電話、携帯型のコンパクトディスクプレーヤ、ミニディスクプレーヤ、ＩＣメモリプレーヤなど、音声再生装置として小型で高性能の機器が広く市場に現れている。このような、携帯型の音声、再生装置には、再生された音楽などの音声信号を聴取するために、イヤホンやヘッドホンが主として用いられる。
従来のヘッドホンには、弾性を有するヘッドバンドを頭に載せて顔を挟み込み、ヘッドバンドの両端につけたレシーバを耳に当てて音声信号を聞き分ける載頭式の構成のものが多く用いられていた。
しかし、このような従来のヘッドホンは、載頭する装置部分が重たく、ヘッドバンドが窮屈で、装着するたびに頭髪が乱れるなど煩わしいことが多かった。
【０００３】
このような問題を解決するため、弾性ワイヤに可撓チューブを被せて構成したバンドの端部にフレームを取付け、このフレームにアームを介してレシーバを揺動可能に取付けたヘッドホンが報告されている（特許文献１参照）。
【先行技術文献】
【特許文献】
【０００４】
【特許文献１】特開平９−２４７７８２号公報
【考案の概要】
【考案が解決しようとする課題】
【０００５】
しかしながら、特許文献１に示した発明では、両耳に当たるレシーバと、フレームとアームを含む部分の重量が重く、そのため、レシーバを強く両耳に当てる必要があり、バンドの締め付けをきつくせねばならず、ヘッドバンドをつけるわずらわしさがそれほど改善されないという問題があった。
本考案は、このような問題を解決して、小型軽量で持ち運びが容易で、装着のわずらわしさが少なく、フィット感の良いヘッドホンの実現を目的とする。
【課題を解決するための手段】
【０００６】
上記課題を解決するため、本考案のヘッドホンは、音声信号を再生する載頭型のヘッドホンであって、金属ワイヤからなるヘッドバンドと、このヘッドバンドの両端部に設けられた球体状の小型スピーカとを備え、前記ヘッドバンドは前記小型スピーカの近傍で後方に屈曲した屈曲点を有することを特徴とする。
【０００７】
さらに、前記小型スピーカへ電気信号を入力する信号ケーブルと、この信号ケーブルの他端に設けられ、音声再生装置のイヤホンジャックに接続されるイヤホンプラグとを備えることを特徴とする。
【０００８】
ここで、前記小型スピーカは、利用者の耳孔に装着可能な大きさの球体であることを特徴とする。
【０００９】
また、前記屈曲点での屈曲角度は後方に１０°ないし４５°であることを特徴とする。
【００１０】
さらに、前記ヘッドバンドはその全長を延長することが可能な延長部を備えていても良い。
【００１１】
ここで、前記延長部は前記ヘッドバンドを構成する金属ワイヤがその内部を摺動可能な円筒パイプから構成されていることを特徴とする。
【考案の効果】
【００１２】
本考案は、以上のように構成することにより、小型軽量で装着が容易で、装着時のフィット感に優れ、装着のわずらわしさがなく、ジョギングなどの運動中でも脱落しにくく、廉価なヘッドホンを提供することができる。
【図面の簡単な説明】
【００１３】
【図１】本考案に係るヘッドホンの一実施の形態の外観斜視図である。
【図２】図１に示す実施の形態の小型スピーカ部分の拡大図である。
【図３】図１に示す実施の形態の使用状態の側面図である。
【図４】本考案の他の実施形態のヘッドバンドと小型スピーカ部分の外観斜視図である。
【考案を実施するための形態】
【００１４】
以下、図面を参照しつつ本考案に係るヘッドホンについて説明する。
図１は、本考案のヘッドホンの第１の実施形態の外観斜視図、図２は、図１に示す実施形態の小型スピーカ部分の拡大図である。また、図３は、この実施の形態の使用状態の側面図である。また、図４は、本考案の第２の実施形態のヘッドバンド部の外観斜視図である。
【００１５】
図１、図２及び図３に示すように、本考案の第１の実施の形態のヘッドホン１０は、小型スピーカ１、ヘッドバンド２、スピーカケーブル３、ケーブル４及びイヤホンジャック５から構成されている。
【００１６】
小型スピーカ１は、ヘッドバンド２の両端に、両耳に合わせて１対設けられている。小型スピーカ１は、利用者の耳孔に装着可能な大きさの球形であって、その上部はヘッドバンド２に接続され、その下部からスピーカケーブル３が引き出されている。
このように、ヘッドホン１０の耳に当接する部分がオープンタイプの小型スピーカ１であって、従来のイヤホンのように耳孔に差し込むタイプではないため、装着感が優れている。
小型スピーカ１は、その電源を内部充電池から得るようにしているが、スピーカケーブル３、ケーブル４を経て音声再生機器からとるようにしてもよい。
【００１７】
ヘッドバンド２は、弾性を有する金属ワイヤで構成されていて、小型スピーカ１の近傍に屈曲点Ａが設けられている。この屈曲点Ａにおいてヘッドバンド２を構成する金属ワイヤは後方に屈曲角度αだけ曲げられている。
このように、屈曲点Ａでヘッドバンド２が屈曲しているために、ヘッドバンド２の頂点部分を前後させることによって、頭部に合わせてフィットさせることができ、比較的容易に耳と頭頂間の長さに対応することができる。屈曲角度αは１０°ないし４５°に設定することができる。
【００１８】
スピーカケーブル３、ケーブル４及びイヤホンジャック５は、携帯電話、コンパクトディスクプレーヤ、ミニディスクプレーヤ、ＩＣメモリプレーヤなどの音声再生装置から音声信号を小型スピーカ１に導くように構成されている。さらに、これらを介して小型スピーカ１の電源を音声再生装置から得るようにしても良い。
【００１９】
図４は、本考案の第２の実施形態の小型スピーカ１とヘッドバンド２の部分の外観斜視図である。図４において、図１ないし図３に示す第１の実施形態と同じ機能については、便利のため、同一の記号をつけて示す。
この実施形態が図１に示す第１の実施形態と異なる点は、ヘッドバンド２の適当な位置にヘッドバンド２の全長を延長することができるように構成された延長部６を備えている点である。この延長部６は、例えば、ヘッドバンド２を構成する金属ワイヤがその内部を摺動可能な円筒パイプから構成されている。
このように延長部６を設けることによって、ヘッドバンド２の長さを調節して、利用者の頭部により適切にフィットさせることができる。
【００２０】
本考案は、以上のように、イヤホンサイズのオープンタイプの小型スピーカ１を細く軽量な金属ワイヤからなるヘッドバンド２で繋いでヘッドホン１０を構成しているので、イヤホンと違って耳の中にスピーカ部を差し込まなくてよいため、装着感がよく、また、軽量であるため、ジョギングなどの運動中に装着しても脱落しにくく、フィット感が優れているという長所を備えている。また構造が簡単で簡素化されているので廉価に製造することができるという利点も備えている。
【００２１】
本考案は、上述の実施形態に限定されるものではなく、例えば、次に述べるような種々の変形も可能である。
上述の実施形態では、音声再生装置から音声信号をイヤホンジャック５、ケーブル４及びスピーカケーブル３を用いて小型スピーカ１に導くように構成されているが、これらの代わりに、小型スピーカ１内部にＦＭ受信装置を内蔵させて、小型スピーカ１が音声信号を無線で受信して再生するようにすることも可能である。
また、以上の説明では、ヘッドバンド２は、金属ワイヤで構成するように述べたが、弾性を有するプラスチックの板や棒を用いることも可能である。
【産業上の利用可能性】
【００２２】
本考案は、以上に述べたように構成されていて、小型軽量で装着感がよいので、使い勝手に優れ、小型の音声再生装置の出力装置として広く用いられる可能性を備えている。
【符号の説明】
【００２３】
１    小型スピーカ
２    ヘッドバンド
３    スピーカケーブル
４    ケーブル
５    イヤホンジャック
６    延長部
１０  ヘッドホン
【図１】
0003155362.tif 000003
【図２】
0003155362.tif 000004
【図３】
0003155362.tif 000005
【図４】
0003155362.tif 000006